【手続補正書】
【提出日】平成20年4月7日(2008.4.7)
【手続補正１】
【補正対象書類名】明細書
【補正対象項目名】特許請求の範囲
【補正方法】変更
【補正の内容】
【特許請求の範囲】
【請求項１】  少なくとも、感光体を均一帯電させる帯電工程と、潜像形成工程と、白黒、乃至はカラー画像の現像を行う現像工程と、現像された現像剤像を転写する転写工程と、感光体上の転写残トナーを除去するクリーニング工程とを有する電子写真方法であって、
該感光体は、少なくとも光導電層が非晶質珪素を主成分としてなるａ−Ｓｉ感光体であり、
該現像工程には、少なくとも黒色現像を行うための、一成分現像剤である第１の現像剤と、色現像を行うための二成分現像剤である第２の現像剤を使用するものであり、
前記第１及び第２の現像剤が、平均粒径が４乃至１０μｍであり、且つ、
少なくとも前記第１の現像剤は、該現像剤の３μｍ以上の粒子において粒子の円形度ａが０．９０以上の粒子を、個数基準の累積で９０％以上有し、同３μｍ以上の粒子における円形度ａが０．９５以上の粒子が７０％以上存在することを特徴とする電子写真方法。
【請求項２】  前記第１の現像剤が、少なくとも結着樹脂及び磁性体を含有する磁性一成分現像剤であることを特徴とする請求項１に記載の電子写真方法。
【請求項３】  前記クリーニング工程は、弾性ブレードを上記感光体に対しカウンターに当接してなされることを特徴とする請求項１又は２に記載の電子写真方法。
【請求項４】  前記弾性ブレードが、ＪＩＳ−Ａ硬度で５５°乃至８５°の範囲のものであることを特徴とする請求項３に記載の電子写真方法。
【請求項５】  前記クリーニング工程には、摺擦工程が含まれることを特徴とする請求項１乃至４のいずれかに記載の電子写真方法。
【請求項６】  前記摺擦工程が、磁性部材によるものであることを特徴とする請求項５に記載の電子写真方法。
【請求項７】  前記摺擦工程が、弾性部材によるものであることを特徴とする請求項５に記載の電子写真方法。
【請求項８】  前記感光体の１０μｍ×１０μｍの範囲における表面粗さＲａが２０ｎｍ以上４０ｎｍ以下であることを特徴とする請求項１乃至７のいずれかに記載の電子写真方法。
【請求項９】  前記感光体の１０μｍ×１０μｍの範囲における平均傾斜Δａが０．１５乃至０．４０の範囲にあることを特徴とする請求項１乃至７のいずれかに記載の電子写真方法。
【請求項１０】  前記感光体の１０μｍ×１０μｍの範囲における表面粗さＲａが２０ｎｍ以上４０ｎｍ以下であり、且つ平均傾斜Δａが０．１５乃至０．４０の範囲にあることを特徴とする請求項１乃至７のいずれかに記載の電子写真方法。
【請求項１１】  上記感光体の表面自由エネルギーが３５ｍＮ／ｍ以上５５ｍＮ／ｍ以下であることを特徴とする請求項１乃至１０のいずれかに記載の電子写真方法。
【請求項１２】  感光体への潜像形成のための露光が、上記感光体の分光感度波長よりも短波長を中心としてなる単一波長を主とした露光であることを特徴とする請求項１乃至１１のいずれかに記載の電子写真方法。
【請求項１３】  波長４５０ｎｍから６５０ｎｍの範囲で、分光反射率（％）の最小値（Ｍｉｎ）と最大値（Ｍａｘ）が下記の範囲を満たす感光体を使用することを特徴とする請求項１乃至１２のいずれかに記載の電子写真方法。
０≦（Ｍａｘ−Ｍｉｎ）／（Ｍａｘ＋Ｍｉｎ）≦０．４
【請求項１４】  上記潜像形成のための露光が、背景露光（ＢＡＥ）であることを特徴とする請求項１乃至１３のいずれかに記載の電子写真方法。
【請求項１５】  上記感光体が負極性に帯電するものであることを特徴とする請求項１乃至１４のいずれかに記載の電子写真方法。
【請求項１６】  少なくとも、感光体と、帯電手段と、潜像形成手段と、白黒、乃至はカラー画像の現像を行う現像手段と、現像された現像剤像を転写する転写工程と、感光体上の転写残トナーを除去するクリーニング工程とを有する電子写真装置であって、
該感光体は、少なくとも光導電層が非晶質珪素を主成分としてなるａ−Ｓｉ感光体であり、
該現像手段は、少なくとも黒色現像を行うための、一成分現像剤である第１の現像剤を使用する第１の現像手段と、色現像を行うための二成分現像剤を使用する第２の現像手段を有するものであり、
前記第１及び第２の現像剤が、平均粒径が４乃至１０μｍであり、且つ、
少なくとも前記第１の現像剤は、該現像剤の３μｍ以上の粒子において粒子の円形度ａが０．９０以上の粒子を、個数基準の累積で９０％以上有し、同３μｍ以上の粒子における円形度ａが０．９５以上の粒子が７０％以上存在することを特徴とする電子写真装置。
【請求項１７】  前記第１の現像手段に使用する第１の現像剤が、少なくとも結着樹脂及び磁性体を含有する磁性一成分現像剤であることを特徴とする請求項１６に記載の電子写真装置。
【請求項１８】  前記クリーニング手段は、少なくとも掻取り除去部材を有し、該掻き取り部材は弾性体であって、該感光体に対しカウンターに当接してなされることを特徴とする請求項１６又は１７に記載の電子写真装置。
【請求項１９】  前記弾性部材が、ＪＩＳ−Ａ硬度で５５°乃至８５°の範囲のものであることを特徴とする請求項１８に記載の電子写真装置。
【請求項２０】  前記クリーニング手段には、摺擦部材が含まれることを特徴とする請求項１６乃至１９のいずれかに記載の電子写真装置。
【請求項２１】  前記摺擦部材が、磁性部材からなることを特徴とする請求項２０に記載の電子写真装置。
【請求項２２】  前記摺擦部材が、弾性部材からなることを特徴とする請求項２０に記載の電子写真装置。
【請求項２３】  前記感光体の１０μｍ×１０μｍの範囲における表面粗さＲａが２０ｎｍ以上４０ｎｍ以下であることを特徴とする請求項１６乃至２２のいずれかに記載の電子写真装置。
【請求項２４】  前記感光体の１０μｍ×１０μｍの範囲における平均傾斜Δａが０．１５乃至０．４０の範囲にあることを特徴とする請求項１６乃至２２のいずれかに記載の電子写真装置。
【請求項２５】  前記感光体の１０μｍ×１０μｍの範囲における表面粗さＲａが２０ｎｍ以上４０ｎｍ以下であり、且つ平均傾斜Δａが０．１５乃至０．４０の範囲にあることを特徴とする請求項１６乃至２２のいずれかに記載の電子写真装置。
【請求項２６】  上記感光体の表面自由エネルギーが３５ｍＮ／ｍ以上５５ｍＮ／ｍ以下であることを特徴とする請求項１６乃至２５のいずれかに記載の電子写真装置。
【請求項２７】  感光体への潜像形成手段が、上記感光体の分光感度波長よりも短波長を中心としてなる単一波長を主とした露光であることを特徴とする請求項１６乃至２６のいずれかに記載の電子写真装置。
【請求項２８】  波長４５０ｎｍから６５０ｎｍの範囲で、分光反射率（％）の最小値（Ｍｉｎ）と最大値（Ｍａｘ）が下記の範囲を満たす感光体を使用することを特徴とする請求項１６乃至２７のいずれかに記載の電子写真装置。
０≦（Ｍａｘ−Ｍｉｎ）／（Ｍａｘ＋Ｍｉｎ）≦０．４
【請求項２９】  上記潜像形成のための露光が、背景露光（ＢＡＥ）であることを特徴とする請求項１６乃至２８のいずれかに記載の電子写真装置。
【請求項３０】  上記感光体が負極性に帯電するものであることを特徴とする請求項１６乃至２９のいずれかに記載の電子写真装置。
【手続補正２】
【補正対象書類名】明細書
【補正対象項目名】０３６０
【補正方法】変更
【補正の内容】
【０３６０】
〔実施例７〕
実験例１に準じて種々のΔａを有する、負極性のａ−Ｓｉ系感光体を作製した。これらの感光体に対し、実施例１と同様の評価機で、同様の電気的特性評価を行い、帯電能、光メモリ、温度特性、電位むらで合格した感光体を使用し、実施例１同様に３５０ｍｍ／ｓｅｃ、およびプロセススピードを振って２５０Ｋまでの耐久を評価した。条件を表９及び表１０に、結果を表１３に示す。
【手続補正３】
【補正対象書類名】明細書
【補正対象項目名】０３６１
【補正方法】変更
【補正の内容】
【０３６１】
表１３より、良好な結果が得られた。また、透明基体の感光体を使用した観察結果、感光体表面のΔａを規定された範囲（０．１５乃至４０）で使用することにより、ニップ部１００４でのクリーニングブレードの動きがスムーズになり、また、減速層１００３（ａ）乃至、活動層１００３（ｂ）でトナー粒子が感光体表面に固定されず、流動性を有して、特に磁性トナーやキャリア材、また該添材等の微小粒子が、活動層１００３（ｂ）乃至、ニップ部１００４に好適に供給されることにより、クリーニング性を良好に維持することができた。
【手続補正４】
【補正対象書類名】明細書
【補正対象項目名】０３６７
【補正方法】変更
【補正の内容】
【０３６７】
実施例１と同様の評価での合格品を使用し、実施例１同様の耐久評価を行った。条件を表９及び表１０に、結果を表１３に示す。表１３より、非常に良好な結果が得られた。また、透明基体を使用してクリーニング部における状態を観察した結果、活動層１３０３（ｂ）、ニップ部１３０４の境界部におけるブレード当接状態は更に安定していた。また、現像剤の凝集等は殆ど無かった。感光体の表面自由エネルギーを規定された範囲（３５ｍＮ／ｍ以上５５ｍＮ／ｍ以下）で使用することにより、現像剤の付着力が低減し、クリーニングブレードへの衝突が低減、更には磁性トナーと非磁性トナーの衝突が抑制され、凝集等が防止されたと考えられる。またこれらの作用により、クリーニングブレードへの潜り込み等が抑制されたと考えられる。